(57)【要約】【課題】利便性を向上できる電気掃除機を提供する。【解決手段】電動送風機６を内装する本体部２にサイクロン式の集塵部２０を着脱自在に設けた電気掃除機１において、集塵部２０は、上面に開口面２２ｂを有する断面円形の有底筒状に形成されるとともに周面に気流の流入口２２ａが設けられる集塵容器２２と、開口面２２ｂに配される平面視円形のフィルタ３７と、フィルタ３７を保持して集塵容器２２に対して着脱自在のフィルタ保持部５０と、本体部２の外装を形成して内面にフィルタ３７と電動送風機６との連通路４２を形成するとともにフィルタ保持部５０の周面に設けたヒンジ部６０で枢支されるカバー部４０とを備え、ヒンジ部６０が、周方向に離れて同軸に配される第１軸部６１及び第２軸部６２と、第１軸部６１及び第２軸部６２をそれぞれ支持する第１軸受部７１及び第２軸受部７２とを有する。【選択図】図７
2015024275.tif 000002
【特許請求の範囲】
【請求項１】
電動送風機を内装する本体部にサイクロン式の集塵部を着脱自在に設けた電気掃除機において、前記集塵部は、上面に開口面を有する断面円形の有底筒状に形成されるとともに周面に気流の流入口が設けられる集塵容器と、前記開口面に配される平面視円形のフィルタと、前記フィルタに沿う周面を有して前記フィルタを保持するとともに前記集塵容器に対して着脱自在のフィルタ保持部と、前記本体部の外装を形成して内面に前記フィルタと前記電動送風機との連通路を形成するとともに前記フィルタ保持部の周面に設けたヒンジ部で枢支されるカバー部と、前記集塵容器及び前記フィルタ保持部の一方に設けられて他方に係合する係合状態と該係合状態を解除する解除状態との間を可動のクリップとを備え、前記ヒンジ部が、前記カバー部と前記フィルタ保持部との一方に設けられるとともに周方向に離れて同軸に配される第１軸部及び第２軸部と、前記カバー部と前記フィルタ保持部との他方に設けられるとともに第１軸部及び第２軸部をそれぞれ支持する第１軸受部及び第２軸受部とを有し、
前記クリップが第１軸部と第２軸部との間に配されることを特徴とする電気掃除機。
【請求項２】
電動送風機を内装する本体部にサイクロン式の集塵部を着脱自在に設けた電気掃除機において、前記集塵部は、上面に開口面を有する断面円形の有底筒状に形成されるとともに周面に気流の流入口が設けられる集塵容器と、前記開口面に配される平面視円形のフィルタと、前記フィルタに沿う周面を有して前記フィルタを保持するとともに前記集塵容器に対して着脱自在のフィルタ保持部と、前記本体部の外装を形成して内面に前記フィルタと前記電動送風機との連通路を形成するとともに前記フィルタ保持部の周面に設けたヒンジ部で枢支されるカバー部と、前記カバー部と前記フィルタ保持部との閉止状態をロックするロック部材と、前記ロック部材による前記カバー部と前記フィルタ保持部との閉止状態のロックを解除した際に前記カバー部を所定量持ち上げる押圧部材とを備え、前記ヒンジ部が、前記カバー部と前記フィルタ保持部との一方に設けられるとともに周方向に離れて同軸に配される第１軸部及び第２軸部と、前記カバー部と前記フィルタ保持部との他方に設けられるとともに第１軸部及び第２軸部をそれぞれ支持する第１軸受部及び第２軸受部とを有することを特徴とする電気掃除機。
【請求項３】
前記ロック部材が可動に設けられるとともに一方向に付勢され、付勢力に抗して移動した際に前記カバー部と前記フィルタ保持部との閉止状態のロックが解除されることを特徴とする請求項２に記載の電気掃除機。
【発明の詳細な説明】
【技術分野】
【０００１】
本発明は、サイクロン式の集塵部を着脱自在に備えた電気掃除機に関する。
【背景技術】
【０００２】
従来の電気掃除機は特許文献１に開示されている。この電気掃除機は電動送風機を内装した本体部を備えている。被掃除面に対向する吸込口体には樹脂成形品の延長パイプが接続され、本体部に設けた接続口と延長パイプとが可撓性の接続ホースによって接続される。
【０００３】
本体部内には電動送風機の前方にサイクロン式の集塵部が配される。集塵部は上面に開口面を有する断面円形の有底筒状の集塵容器を備えている。集塵容器の周面には接続口に連通して接続口からの空気を周接線方向に流入させる流入口が設けられる。集塵容器内には流入口から流入する空気によって旋回気流が形成される。
【０００４】
集塵容器の上面の開口面には平面視円形のフィルタが配される。フィルタは集塵容器に対して着脱自在のフィルタ保持部により保持され、フィルタ保持部の下面には集塵容器の中心軸上に配される内筒が突出して設けられる。内筒の周面には気流の流出口が開口する。
【０００５】
フィルタの上方には本体部の外装を形成するカバー部が設けられる。カバー部はフィルタ保持部に対して着脱自在に設けられ、上面に使用者が把持する把持部が設けられる。把持部を把持して集塵部を本体部に対して着脱することができる。カバー部の内面にはフィルタと電動送風機との間を連通させる連通路が形成され、カバー部の背面に連通路の端面である集塵部排気口が開口する。
【０００６】
上記構成の電気掃除機において、電動送風機の駆動によって吸込口体から被掃除面上の塵埃が空気とともに吸い込まれる。吸込口体から吸い込まれた空気は延長パイプ及び接続ホースを介して流入口から集塵部の集塵容器内に流入する。集塵容器に流入した空気は集塵容器内で旋回し、遠心力によって大きい塵埃が分離されて集塵容器内に堆積する。
【０００７】
大きい塵埃が除去された気流は流出口を介して内筒内を流通し、フィルタによって細かい塵埃が捕集される。細かい塵埃が除去された気流は連通路を流通し、集塵部排気口を介して集塵部から流出する。集塵部から流出した空気は電動送風機を通過して外部に排気される。これにより、被掃除面の掃除を行うことができる。
【０００８】
集塵部を本体部から脱着してカバー部と一体にフィルタ保持部を集塵容器から脱着すると、集塵容器に堆積した塵埃を廃棄することができる。また、フィルタ保持部からカバー部を脱着すると、フィルタの清掃を行うことができる。
【先行技術文献】
【特許文献】
【０００９】
【特許文献１】特許第４３７８４２０号公報（第５頁−第１３頁、第６図、第８図）
【発明の概要】
【発明が解決しようとする課題】
【００１０】
しかしながら、上記従来の電気掃除機によると、フィルタの清掃を行う際にカバー部がフィルタ保持部から脱着される。このため、フィルタの清掃が完了するとカバー部をフィルタ保持部に装着する作業を必要として電気掃除機の利便性が悪い問題があった。また、平面視略円形のフィルタ保持部に対するカバー部の装着方向が使用者に解りにくいため、電気掃除機の利便性をより悪くしていた。
【００１１】
本発明は、利便性を向上できる電気掃除機を提供することを目的とする。
【課題を解決するための手段】
【００１２】
上記目的を達成するために本発明は、電動送風機を内装する本体部にサイクロン式の集塵部を着脱自在に設けた電気掃除機において、前記集塵部は、上面に開口面を有する断面円形の有底筒状に形成されるとともに周面に気流の流入口が設けられる集塵容器と、前記開口面に配される平面視円形のフィルタと、前記フィルタに沿う周面を有して前記フィルタを保持するとともに前記集塵容器に対して着脱自在のフィルタ保持部と、前記本体部の外装を形成して内面に前記フィルタと前記電動送風機との連通路を形成するとともに前記フィルタ保持部の周面に設けたヒンジ部で枢支されるカバー部とを備え、前記ヒンジ部が、前記カバー部と前記フィルタ保持部との一方に設けられるとともに周方向に離れて同軸に配される第１軸部及び第２軸部と、前記カバー部と前記フィルタ保持部との他方に設けられるとともに第１軸部及び第２軸部をそれぞれ支持する第１軸受部及び第２軸受部とを有することを特徴としている。
【００１３】
この構成によると、電動送風機の駆動によって流入口から塵埃を含む気流が集塵容器に流入して集塵容器内に旋回気流が形成される。集塵容器に流入した大きな塵埃は旋回気流による遠心力によって分離され、細かい塵埃はフィルタにより捕集される。塵埃が除去された気流はカバー部の内面に形成される連通路を流通し、電動送風機を通過して外部に排気される。集塵部を本体部から脱着してカバー部と一体にフィルタ保持部を集塵容器から脱着すると、集塵容器に堆積した塵埃を廃棄することができる。また、ヒンジ部でフィルタ保持体に枢支されるカバー部を回動して開くとフィルタの清掃を行うことができる。ヒンジ部の第１、第２軸部は周方向に離れるため、平面視略円形のフィルタ保持体の周面に接近して配置される。
【００１４】
また本発明は、上記構成の電気掃除機において、前記集塵部が前記本体部に対して上方から着脱されるとともに前記カバー部の背面に前記連通路の排気口を開口し、前記ヒンジ部を前記カバー部の背面に形成して前記排気口よりも前方に配置したことを特徴としている。
【００１５】
この構成によると、塵埃が除去された気流は連通路を流通し、カバー部の背面に開口する排気口を介して電動送風機に導かれる。ヒンジ部は排気口よりも前方に配置されるため、集塵部を本体部に対して上方から円滑に着脱することができる。
【００１６】
また本発明は、上記構成の電気掃除機において、前記集塵容器及び前記フィルタ保持部の一方に設けられて他方に係合する係合状態と該係合状態を解除する解除状態との間を可動のクリップを備え、前記クリップが第１軸部と第２軸部との間に配されることを特徴としている。
【００１７】
この構成によると、クリップは例えば集塵容器の周面に設けられ、第１軸部と第２軸部との間でフィルタ保持部に係合してフィルタ保持部が集塵容器に装着される。クリップがフィルタ保持部との係合を解除されるとフィルタ保持部が集塵容器から脱着される。クリップをフィルタ保持部に設けてもよい。
【００１８】
また本発明は、上記構成の電気掃除機において、第１軸受部及び第２軸受部は、軸方向の両端に配されて第１軸部または第２軸部が嵌合するとともに周面の一部に開放部を有する断面Ｃ字型の嵌合部と、両方の前記嵌合部間に配されて第１軸部または第２軸部に係合する弾性体から成る係合爪とを有することを特徴としている。
【００１９】
この構成によると、第１軸部は第１軸受部の両端の嵌合部に開放部から挿入され、係合爪に係合して脱落が防止される。第２軸部は第２軸受部の両端の嵌合部に開放部から挿入され、係合爪に係合して脱落が防止される。
【００２０】
また本発明は、上記構成の電気掃除機において、第１軸部及び第２軸部を前記カバー部に設けるとともに第１軸受部及び第２軸受部を前記フィルタ保持部に設け、前記開放部の対向する壁面が第１軸部及び第２軸部との接点から斜め上方に延びることを特徴としている。
【００２１】
この構成によると、カバー部に設けられる第１軸部はフィルタ保持部に設けられる第１軸受部の両端の嵌合部に開放部から挿入され、係合爪に係合する。カバー部に設けられる第２軸部はフィルタ保持部に設けられる第２軸受部の両端の嵌合部に開放部から挿入され、係合爪に係合する。開放部の壁面は第１軸部及び第２軸部との接点から斜め上方に延び、カバー部を開いて第１軸部及び第２軸部の周方向に荷重を加えても第１軸部及び第２軸部の脱落が防止される。
【００２２】
また本発明は、上記構成の電気掃除機において、ハンドルの操作により前記フィルタを叩打して除塵する除塵部材を設け、前記カバー部を開いた際に前記ハンドルが露出することを特徴としている。この構成によると、カバー部を開いてハンドルが操作されると、除塵部材がフィルタを叩打してフィルタに捕集された塵埃が脱落する。フィルタから脱落した塵埃は開口面から集塵容器内に落下する。
【００２３】
また本発明は、上記構成の電気掃除機において、前記カバー部の開放角度を規制するストッパを設け、前記カバー部は前記ストッパに当接した際に前記フィルタの上方から退避することを特徴としている。
【００２４】
また本発明は、上記構成の電気掃除機において、前記カバー部と前記フィルタ保持部との閉止状態をロックするロック部材と、下方に付勢されて前記カバー部を閉じた状態で前記フィルタ保持部を押圧する押圧部材とを備え、前記ロック部材による前記カバー部と前記フィルタ保持部との閉止状態を解除した際に前記カバー部が前記押圧部材により所定量持ち上げられることを特徴としている。この構成によると、所定の操作によってロック部材によるカバー部とフィルタ保持部との閉止状態が解除されると、押圧部材の付勢によりカバー部がポップアップする。
【発明の効果】
【００２５】
本発明によると、カバー部がヒンジ部でフィルタ保持体に枢支され、ヒンジ部が周方向に離れた同軸の第１軸部及び第２軸部と、第１軸部及び第２軸部をそれぞれ支持する第１軸受部及び第２軸受部とを有するので、カバー部を回動により開いてフィルタの清掃を行うことができる。このため、フィルタの清掃完了時にカバー部の装着作業を省くことができる。また、第１、第２軸部によってカバー部を周方向に広い範囲で枢支するとともに枢支軸の撓みを低減することができる。これにより、カバー部の開閉時の安定性を向上させることができる。加えて、ヒンジ部を平面視略円形のフィルタ保持部の周面に接近して配置することができる。これにより、本体部に対して着脱される集塵部の小型化を図ることができ、塵埃の廃棄等による集塵部の運搬時の負担を軽減することができる。従って、電気掃除機の利便性を向上することができる。
【図面の簡単な説明】
【００２６】
【図１】本発明の実施形態の電気掃除機を示す斜視図
【図２】本発明の実施形態の電気掃除機の本体部を示す側面断面図
【図３】本発明の実施形態の電気掃除機の本体部の集塵部を脱着した状態を示す側面断面図
【図４】本発明の実施形態の電気掃除機の集塵部を示す斜視図
【図５】本発明の実施形態の電気掃除機の集塵部を示す背面図
【図６】図５のＡ−Ａ断面図
【図７】本発明の実施形態の電気掃除機の集塵部を示す側面断面図
【図８】図５のＢ−Ｂ断面図
【図９】図８のＤ部詳細図
【図１０】本発明の実施形態の電気掃除機の集塵部のカバー部を開いた状態を示す斜視図
【発明を実施するための形態】
【００２７】
以下に本発明の実施形態を図面を参照して説明する。図１は一実施形態の電気掃除機を示す斜視図である。電気掃除機１は電動送風機６（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００２８】
本体部２の前面には可撓性の接続ホース３が接続され、接続ホース３の先端には延長パイプ４が接続される。延長パイプ４の先端には床面に対峙する吸込口（不図示）を有した吸込口体５が設けられる。また、延長パイプ４にはパイプ把持部１３及び操作部１４が設けられる。使用者により操作部１４を操作して掃除運転が実行され、パイプ把持部１３を把持して吸込口体５を移動させる。
【００２９】
図２は本体部２の側面断面図を示している。本体部２は本体カバー１０により覆われ、後部に電動送風機６が配される。本体カバー１０の前面には接続ホース３（図１参照）を接続する接続口１０ａが開口し、背面には排気口１０ｂが開口する。電動送風機６の前方には集塵室１９が設けられ、集塵室１９内にはサイクロン式の集塵部２０が配される。詳細を後述するように集塵部２０の集塵容器２２は透明樹脂から成り、集塵容器２２内を視認できる窓部１０ｃが本体カバー１０に設けられる。
【００３０】
集塵部２０は接続口１０ａに連通する流入口２２ａ及び塵埃を除去した気流が流出する集塵部排気口４２ａが設けられる。集塵部排気口４２ａと電動送風機６との間はダクト１５により連結される。
【００３１】
集塵部２０の上部には本体カバー１０に連続して本体部２の外装を形成するカバー部４０が配される。カバー部４０の上面には後部で枢支される回動自在の把持部４１が設けられ、カバー部４０の上部後方には本体カバー１０に係合する係合部４３が設けられる。係合部４３は把持部４１の回動によって前後に進退する。
【００３２】
本体カバー１０にカバー部４０の前部を掛けて後方の係合部４３を係合させることによって集塵部２０が本体部２に装着される。把持部４１の先端を引き上げると係合部４３が前進して本体カバー１０との係合を解除され、図３に示すように集塵部２０を本体部２から上方に脱着することができる。これにより、集塵部２０で集塵した塵埃を廃棄することができる。
【００３３】
図４、図５は集塵部２０の斜視図及び背面図を示している。また、図６は図５のＡ−Ａ断面図を示し、図７は集塵部２０の分解斜視図を示している。集塵部２０はカバー部４０、フィルタ保持部５０及び集塵容器２２を有している。
【００３４】
集塵容器２２は透明樹脂から成り、上面に開口面２２ｂを有した断面略円形の有底筒状に形成される。集塵容器２２の前部の周面には接続口１０ａ（図２参照）に連通して接続ホース３（図１参照）からの気流が流入する流入口２２ａが設けられる。集塵容器２２には流入口２２ａを介して周接線方向に気流が流入し、集塵容器２２内に旋回気流が形成される。これにより、サイクロン式の集塵装置が形成され、気流に含まれる塵埃を遠心力により分離する。また、集塵容器２２の後部の周面には水平軸で回動自在のクリップ２３が設けられる。
【００３５】
フィルタ保持部５０はフィルタ３７を保持する。フィルタ３７は平面視円形のプリーツフィルタから成り、軸方向に垂直な方向に山部と谷部とが連続するように折り曲げて形成される。これにより、フィルタ３７は広い捕集面積を有し、集塵容器２２の開口面２２ｂを覆って塵埃を捕集する。
【００３６】
フィルタ保持部５０は平面視円形のフィルタ３７の周面に沿う環状部５０ａを有し、集塵容器２２に対して着脱自在に設けられる。集塵容器２２にフィルタ保持部５０の前部を掛けてクリップ２３をフィルタ保持部５０の背面に係合させた係合状態に配置すると、フィルタ保持部５０が集塵容器２２に装着される。クリップ２３を回動してフィルタ保持部５０との係合を解除した係合解除状態に配置すると、集塵容器２２からフィルタ保持部５０を脱着することができる。
【００３７】
フィルタ保持部５０の下面には内筒５１が突出して設けられる。内筒５１は集塵容器２２と同軸に配され、周面に気流の流出口５１ａが設けられる。また、フィルタ保持部５０には後述するように、フィルタ３７により捕集した塵埃を除塵する除塵装置３０（図１０参照）が設けられる。
【００３８】
カバー部４０の上面は前方が下がる傾斜面に形成され、カバー部４０の内部にはフィルタ３７とダクト１５（図２参照）とを連通させる連通路４２が形成される。カバー部４０の背面には連通路４２の端面である集塵部排気口４２ａが開口する。カバー部４０は背面に設けたヒンジ部６０によってフィルタ保持部５０に枢支され、フィルタ３７の上方を開閉する。
【００３９】
ヒンジ部６０はカバー部４０に設けた第１、第２軸部６１、６２とフィルタ保持部５０に設けた第１、第２軸受部７１、７２とを有している。第１、第２軸部６１、６２はカバー部４０と一体に成形され、第１、第２軸受部７１、７２はフィルタ保持部５０の環状部５０ａと一体に成形される。第１、第２軸部６１、６２及び第１、第２軸受部７１、７２は集塵部排気口４２ａの開口縁よりも前方に設けられる。これにより、本体部２に対して上方から集塵部２０を容易に着脱することができる。
【００４０】
第１軸部６１はカバー部４０の下面から下方に突出する支持部６１ａ、６１ｂにより両端が支持される。第２軸部６２も同様に、カバー部４０の下面から下方に突出する支持部６２ａ、６２ｂにより両端が支持される。第１軸部６１及び第２軸部６２は周方向に離れて同軸に設けられ、第１軸部６１と第２軸部６２との間にクリップ２３が配される。また、内側の支持部６１ｂ、６２ｂにはそれぞれ後方に突出する突出部６１ｃ、６２ｃが設けられる。
【００４１】
第１軸受部７１及び第２軸受部７２はフィルタ保持部５０の環状部５０ａの外周面に突設される。第１軸受部７１は第１軸部６１が嵌合する嵌合部７１ａ、７１ｂを軸方向の両端に有し、嵌合部７１ａ、７１ｂの間に係合爪７１ｅが設けられる。第２軸受部７２も同様に、第２軸部６２が嵌合する嵌合部７２ａ、７２ｂを軸方向の両端に有し、嵌合部７２ａ、７２ｂの間に係合爪７２ｅが設けられる。
【００４２】
図８は図５の第１軸受部７１の嵌合部７１ａを通るＢ−Ｂ断面図を示している。また、図９は図８のＤ部詳細図を示している。尚、第２軸受部７２も第１軸受部７１と同じ構造に形成される。嵌合部７１ａ、７１ｂは断面Ｃ字型に形成され、周面の一部を開放して第１軸部６１を挿入する開放部７１ｃを有している。開放部７１ｃの上下の壁面７１ｄは第１軸部６１との接点から斜め上方に延びて形成され、嵌合部７１ａ、７１ｂが斜め上方に向かって開口する。
【００４３】
係合爪７１ｅは弾性変形可能に形成され、第１軸部６１を嵌合部７１ａ、７１ｂに挿入する際に下方に退避して挿入後に第１軸部６１の周面に係合する。係合爪７２ｅも同様に、弾性変形可能に形成され、第２軸部６２を嵌合部７２ａ、７２ｂに挿入する際に下方に退避して挿入後に第２軸部６２の周面に係合する。係合爪７１ｅ、７２ｅの係合によってカバー部４０を開いた際に第１軸部６１及び第２軸部６２が第１軸受部７１及び第２軸受部７２から脱落することが防止される。
【００４４】
図１０はカバー部４０を開いた状態を示す斜視図である。突出部６１ｃ、６２ｃ（図７参照）がそれぞれ第１軸受部７１及び第２軸受部７２に設けたストッパ７１ｆ、７２ｆ（図５参照）に当接し、カバー部４０の開放角度が規制される。この時、カバー部４０の下面が集塵容器２２の中心軸に対して上方が離れるように傾斜し、カバー部４０がフィルタ３７の上方から退避する位置に配置される。これにより、カバー部４０を開いた状態でフィルタ３７の清掃を容易に行うことができる。
【００４５】
また、前述の図９に示すように嵌合部７１ａ、７１ｂの開放部７１ｃ及び嵌合部７２ａ、７２ｂの開放部７２ｃ（不図示）が斜め上方に向かって開口する。このため、突出部６１ｃ、６２ｃがストッパ７１ｆ、７２ｆに当接した状態でカバー部４０を開く方向に荷重が加わっても、第１軸部６１及び第２軸部６２は開放部７１ｃ、７２ｃの壁面に当接する。これにより、第１軸部６１及び第２軸部６２の脱落を確実に防止することができる。この時、カバー部４０に大きな荷重が加わると、開放部７１ｃ、７２ｃから第１軸部６１及び第２軸部６２が脱落してヒンジ部６０の破損を防止することができる。
【００４６】
カバー部４０の前部の下面にはフック４６及び押圧部材４５が設けられる。フック４６はカバー部４０と一体に設けられ、周方向に弾性変形可能に形成される。押圧部材４５は前述の図７に示すように、カバー部４０に設けた孔部４０ａに挿通される。孔部４０ａの上方はカバー部４０の上面に係止されるリング部材４４によって塞がれる。押圧部材４５とリング部材４４との間には押圧部材４５を下方に付勢する圧縮バネ（不図示）が配される。
【００４７】
図１０において、フィルタ保持部５０の環状部５０ａにはヒンジ部６０に対して径方向に対向した前部に当接部５４及びロック部材５２が設けられる。当接部５４は押圧部材４５が当接し、押圧部材４５の付勢力によって押圧される。ロック部材５２は周方向に可動に設けられ、圧縮バネ（不図示）によって一方向（矢印Ｅ１方向）に付勢される。ロック部材５２はフック４６が係合してカバー部４０とフィルタ保持部５０との閉止状態をロックする。
【００４８】
ロック部材５２を付勢力に抗して他方向（矢印Ｅ２方向）に移動させると、ロック部材５２とフック４６との係合が解除される。これにより、カバー部４０とフィルタ保持部５０との閉止状態が解除される。この時、押圧部材４５は圧縮バネ（不図示）の付勢力によって当接部５４を押圧し、カバー部４０の前部がポップアップして所定量持ち上げられる。これにより、把持部４１（図３参照）やカバー部４０の前部を把持してカバー部４０を容易に開くことができる。
【００４９】
フィルタ保持部５０にはフィルタ３７を除塵する除塵装置３０が設けられる。除塵装置３０はフィルタ３７を貫通する軸部３１ｂ（図６参照）で支持された回転自在の回転体３１を備えている。回転体３１は複数の放射状の腕部３１ａを有し、腕部３１ａには使用者が把持するハンドル３４が設けられる。また、軸部３１ｂの下部にはフィルタ３７の下方に配される可撓性の除塵部材３３（図６参照）が取り付けられる。
【００５０】
カバー部４０を開くとハンドル３４が露出し、ハンドル３４を把持して回転体３１を回転させるとフィルタ３７が除塵部材３３により叩打される。これにより、フィルタ３７に捕集された塵埃が集塵容器２２内に脱落し、フィルタ３７の除塵を行うことができる。
【００５１】
上記構成の電気掃除機１において、電動送風機６の駆動によって吸込口体５から床面の塵埃が吸い込まれ、延長パイプ４及び接続ホース３を流通する。塵埃を含む気流は接続口１０ａ及び流入口２２ａを介して集塵部２０の集塵容器２２に流入し、集塵容器２２内に旋回気流を形成する。旋回気流の遠心力によって気流に含まれる比較的大きな塵埃が除去され、集塵容器２２内に堆積する。
【００５２】
大きな塵埃が除去された気流は流出口５１ａから内筒５１内に流出して上昇し、フィルタ３７により細かい塵埃が捕集される。フィルタ３７を通過した気流は集塵部排気口４２ａを介して集塵部２０から流出する。集塵部２０から流出した気流はダクト１５を流通し、電動送風機６を介して排気口１０ｂから排気される。
【００５３】
把持部４１を引き上げると係合部４３と本体カバー１０との係合が解除され、集塵部２０が集塵室１９から脱着される。クリップ２３の回動によってフィルタ保持部５０がカバー部４０と一体に集塵容器２２から脱着されると、集塵容器２２内の塵埃が廃棄される。また、ロック部材５２の操作によってカバー部４０を開くと、除塵装置３０によるフィルタ３７の除塵やフィルタ３７の水洗い等を行うことができる。
【００５４】
本実施形態によると、カバー部４０がヒンジ部６０でフィルタ保持体５０に枢支され、ヒンジ部６０が周方向に離れた同軸の第１軸部６１及び第２軸部６２と、第１軸部６１及び第２軸部６２をそれぞれ支持する第１軸受部７１及び第２軸受部７２とを有する。これにより、カバー部４０を回動により開いてフィルタ３７の清掃を行うことができる。このため、フィルタ３７の清掃完了時にカバー部３７の装着作業を省くことができる。
【００５５】
また、第１、第２軸部６１、６２によってカバー部４０を周方向に広い範囲で枢支するとともに一つの枢支軸で形成するよりも枢支軸の撓みを低減することができる。これにより、カバー部４０の開閉時の安定性を向上させることができる。加えて、ヒンジ部６０を平面視略円形のフィルタ保持部５０の周面に接近して配置することができる。これにより、本体部２に対して着脱される集塵部２０の小型化を図ることができ、塵埃の廃棄等による集塵部２０の運搬時の負担を軽減することができる。従って、電気掃除機１の利便性を向上することができる。
【００５６】
また、カバー部４０の背面に連通路４２の集塵部排気口４２ａ（排気口）が開口し、ヒンジ部６０をカバー部４０の背面に形成して集塵部排気口４２ａよりも前方に配置したので、本体部２の上方から集塵部２０を容易に着脱することができる。
【００５７】
また、集塵容器２２とフィルタ保持部５０とを係脱するクリップ２３が第１軸部６１と第２軸部６２との間に配されるので、第１、第２軸部６１、６２間のスペースを有効利用して集塵部２０のより小型化を図ることができる。尚、クリップ２３をフィルタ保持部５０に設けて集塵容器２２に係脱させてもよい。
【００５８】
また、第１軸受部７１は第１軸部６１が嵌合する嵌合部７１ａ、７１ｂを軸方向の両端に有し、嵌合部７１ａ、７１ｂは周面の一部に開放部７１ｃを有する断面Ｃ字型に形成される。加えて、両方の嵌合部７１ａ、７１ｂ間には第１軸部６１に係合する弾性体の係合爪７１ｅが設けられる。
【００５９】
同様に、第２軸受部７２は第２軸部６２が嵌合する嵌合部７２ａ、７２ｂを軸方向の両端に有し、嵌合部７２ａ、７２ｂは周面の一部に開放部７２ｃを有する断面Ｃ字型に形成される。加えて、両方の嵌合部７２ａ、７２ｂ間には第２軸部６２に係合する弾性体の係合爪７２ｅが設けられる。従って、係合爪７１ｅ、７２ｅの係合によって第１軸部６１及び第２軸部６２の脱落を容易に防止することができる。
【００６０】
また、開放部７１ｃ、７２ｃの対向する壁面７１ｄ、７２ｄ（７２ｄは不図示）が第１軸部６１及び第２軸部６２との接点から斜め上方に延びるので、カバー部４０を開いた際の脱落をより確実に防止することができる。
【００６１】
また、ハンドル３４の操作によりフィルタ３７を叩打して除塵する除塵部材３３を設け、ハンドル３４がカバー部４０を開いた際に露出する。このため、ヒンジ部６０によりカバー部４０を開いてフィルタ３７の除塵を行い、除塵が完了するとカバー部４０が閉じられる。従って、フィルタ３７の除塵を行った後のカバー部４０の装着作業を省くことができる。
【００６２】
また、カバー部４０の開放角度を規制するストッパ７１ｆ、７２ｆを設け、カバー部４０はストッパ７１ｆ、７２ｆに当接した際にフィルタ３７の上方から退避するので、カバー部４０を装着した状態でフィルタ３７の清掃を行うことができる。
【００６３】
また、ロック部材５２によるカバー部４０とフィルタ保持部５０との閉止状態を解除した際にカバー部４０が押圧部材４５により所定量持ち上げられる。従って、押圧部材４５によりカバー部４０がポップアップし、カバー部４０を容易に開くことができる。
【００６４】
本実施形態において、ヒンジ部６０の第１、第２軸部６１、６２をカバー部４０に設けて第１、第２軸受部７１、７２をフィルタ保持部５０に設けているが、第１、第２軸部６１、６２をフィルタ保持部５０に設けて第１、第２軸受部７１、７２をカバー部４０に設けてもよい。
【００６５】
また、電気掃除機１が電動送風機６を内装する本体部２に吸込口体５が接続ホース３を介して接続されるキャニスター型に形成されるが、本体部２に吸込口体５を一体に設けた縦型の電気掃除機であってもよい。
【産業上の利用可能性】
【００６６】
本発明によると、サイクロン式の集塵部を着脱自在に備えた電気掃除機に利用することができる。
【符号の説明】
【００６７】
１    電気掃除機
２    本体部
３    接続ホース
４    延長パイプ
５    吸込口体
６    電動送風機
１０    本体カバー
１３    パイプ把持部
１４    操作部
１５    ダクト
１９    集塵室
２０    集塵部
２２    集塵容器
２２ａ  流入口
２３    クリップ
３０    除塵装置
３１    回転体
３３    除塵部材
３４    ハンドル
３７    フィルタ
４０    カバー部
４１    把持部
４２    連通路
４２ａ  集塵部排気口
４３    係合部
４４    リング部材
４５    押圧部材
４６    フック
５０    フィルタ保持部
５１    内筒
５１ａ  流出口
５２    ロック部材
５４    当接部
６０    ヒンジ部
６１    第１軸部
６１ａ、６１ｂ、６２ａ、６２ｂ  支持部
６１ｃ、６２ｃ  突出部
６２    第２軸部
７１    第１軸受部
７１ａ、７１ｂ、７２ａ、７２ｂ  嵌合部
７１ｃ、７２ｃ  開放部
７１ｅ、７２ｅ  係合爪
７１ｆ、７２ｆ  ストッパ
７２    第２軸受部
【図１】
2015024275.tif 000003
【図２】
2015024275.tif 000004
【図３】
2015024275.tif 000005
【図４】
2015024275.tif 000006
【図５】
2015024275.tif 000007
【図６】
2015024275.tif 000008
【図７】
2015024275.tif 000009
【図８】
2015024275.tif 000010
【図９】
2015024275.tif 000011
【図１０】
2015024275.tif 000012